(57)【要約】【課題】  交換ユニット及び本体上扉が一体となった交換する部品の総重量の軽減化、演出装置を組み込んだサブ上扉を、本体上扉から別個独立に管理することができて、製造コストの削減化を図ることができるようにした遊技機を提供する。【解決手段】  上扉(21)は、開口上部(25)の上部を開閉自在に塞ぐサブ上扉(23)と、開口上部(25)の下部を開閉自在に塞ぐ本体上扉(24)とを備え、サブ上扉(23)は、遊技に応じた演出の出力が可能な演出装置(88)を備え、遊技機(S)は、少なくともリールユニット(10)及び主制御装置(90)を骨組み状の構造からなる支持体(6)に搭載した交換ユニット(40)を備え、本体上扉(24)は、交換ユニット(40)の支持体(6)に開閉可能に軸支され、交換ユニット(40)は、少なくとも本体上扉(24)を備えて一体化した状態で、筐体(1)に着脱自在に形成した。【選択図】    図１
2006141750.tif 000002
【特許請求の範囲】
【請求項１】
正面側に開口する正面開口部を有する筐体と、
周囲に図柄を配置した回転リールを有するリールユニットと、
前記回転リールの図柄の変動表示及び停止表示を制御するための主制御装置と、
前記筐体の正面開口部を開閉自在に塞ぐ扉とを備えた遊技機において、
前記扉は、
前記筐体の正面開口部の上部である開口上部を開閉自在に塞ぐ上扉と、
前記筐体の正面開口部の下部である開口下部を開閉自在に塞ぐ下扉とを備え、
前記上扉は、
前記筐体の開口上部の上部を開閉自在に塞ぐサブ上扉と、
前記筐体の開口上部の下部を開閉自在に塞ぐ本体上扉とを備え、
前記サブ上扉は、遊技に応じた演出の出力が可能な演出装置を備え、
前記遊技機は、
少なくとも前記リールユニット及び前記主制御装置を骨組み状の構造からなる支持体に搭載した交換ユニットを備え、
前記本体上扉は、前記交換ユニットの前記支持体に開閉可能に軸支され、
前記交換ユニットは、少なくとも前記本体上扉を備えて一体化した状態で、前記筐体に着脱自在に形成したことを特徴とする遊技機。
【請求項２】
前記本体上扉を前記支持体に回転可能に軸支する本体上扉軸支手段と、
前記本体上扉軸支手段の同一軸上に位置するとともに前記サブ上扉を前記筐体に回転可能に軸支するサブ上扉軸支手段と、
前記サブ上扉及び前記本体上扉を固定して両者を一体化する上扉一体化手段とを備えたことを特徴とする請求項１記載の遊技機。
【請求項３】
前記本体上扉を前記支持体に回転可能に軸支する本体上扉軸支手段と、
前記本体上扉軸支手段と同一軸上に位置するとともに前記サブ上扉を前記支持体に回転可能に軸支するサブ上扉交換軸支手段と、
前記サブ上扉及び前記本体上扉を固定して両者を一体化する上扉一体化手段とを備えたことを特徴とする請求項１記載の遊技機。
【請求項４】
前記交換ユニット又は前記本体上扉は、演出用に使用される演出用制御装置と、前記演出用制御装置にて生成される制御命令の情報を出力する第１接続手段とを備え、
前記サブ上扉は、前記第１接続手段と接続することによって前記制御命令の情報を入力して前記演出装置へ伝達する第２接続手段を備え、
前記第１接続手段及び前記第２接続手段は、前記本体上扉により前記開口上部の下部を閉じた後、前記サブ上扉が前記開口上部の上部を閉じるに伴って互いに接続可能となるような対向位置に配設されていることを特徴とする遊技機。
【発明の詳細な説明】
【技術分野】
【０００１】
この発明は、上扉を更に２分割してサブ上扉及び本体上扉を備えた遊技機に関するものである。
【背景技術】
【０００２】
従来、この種の遊技機、具体的には、例えば、スロットマシンであるが、このスロットマシンを置いた遊技ホールでは、新台入れ替えと称して、頻繁に遊技機を変更して、遊技内容を異なるものに変更している。その際、筐体や、ホッパーユニットと呼ばれる払いだ出し装置のような遊技内容の変更に影響の無い部品や、外側筐体は、そのまま使用して、制御装置や、回転リール等の遊技内容を司る部分だけを交換ユニットとして、かかる交換ユニットだけを新たな交換ユニットに変更する、いわゆる分離型のスロットマシンが使用されている（例えば、特許文献１。）。
また、近年のスロットマシンでは、扉に、種々のキャラクターによる演出や、遊技情報を表示するための演出装置を有しているものが知られている。
【特許文献１】特開２００３−４７６８６号公報
【発明の開示】
【発明が解決しようとする課題】
【０００３】
しかし、上記した従来の遊技機では、枠状の支持体にリールユニット及び制御装置を固定し、さらに、この枠状支持体の前面側に上扉を回転可能に軸支したものを一体のユニットとして、交換しようとすると、かかるユニットの全重量が大きくなり、交換作業が大変なものになるという第１の問題点があった。
また、近年では、遊技ホールにおける、いわゆる新台入れ替えは、３月から６月程度の短期間のサイクルで行われるものが多数存在する。一方、スロットマシンの扉に装着する例えば、液晶表示装置のような演出装置の寿命は、数年以上有するものがある。しかし、演出装置は、上扉に組み込まれているため、別個独立に管理することができないといった第２の問題点があった。
【０００４】
そして、例えば、液晶表示装置のような演出装置は、高価であり製品寿命も異なるため、上扉毎、回収した後、かかる演出装置だけ、別個に取り外して、再利用していた。そして、上述したようなリールユニット、制御装置を支持体に固定し、それに上扉を軸支したユニット毎、交換するような分離型のスロットマシンにおいても、回収した上扉から演出装置を取り外して再利用していた。
しかし、かかる演出装置は、高精度の電子部品であるため、遊技機から取り外して、移動して、工場まで運搬する工程で、衝撃を受けることとなり、不具合や、寿命短縮化の原因となって、製造コストを増加させているという第３の問題点があった。
【０００５】
なお、上記の遊技機は、遊技媒体として、円板状の遊技メダルを使用するスロットマシンであるが、遊技内容は、スロットマシンと同様に、周囲に図柄を配置した回転リールを回転表示させるものであるが、遊技媒体として、球状のパチンコ玉を使用する、いわゆるパロットにおいても、上述したものと同様の問題点を有するものである。
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１及び第２の問題点に鑑みてなされたものであり、その目的とするところは、交換ユニット及び本体上扉が一体となった交換する部品（具体的には扉一体型交換ユニット）の総重量の軽減化、演出装置を組み込んだサブ上扉を、本体上扉から別個独立に管理することができて、製造コストの削減化を図ることができるようにした遊技機を提供しようとするものである。
【０００６】
（請求項２）  請求項２記載の発明は、上記した請求項１記載の発明の目的に加え、次の点を目的とする。すなわち、請求項２記載の発明は、上記した従来の技術の有する第３の問題点に鑑みてなされたものであり、その目的とするところは、いわゆる新台入れ替えにおいても、演出装置を有するサブ上扉を筐体に据え置くことができ、演出装置の不具合の削減化、長寿命化を図ることができるようにした遊技機を提供しようとするものである。
（請求項３）  請求項３記載の発明は、上記した請求項１記載の発明の目的に加え、次の点を目的とする。すなわち、請求項３記載の発明は、演出装置を有するサブ上扉も、交換ユニットと同時に交換することができるようにした遊技機を提供しようとするものである。
【０００７】
（請求項４）  請求項４記載の発明は、上記した請求項１乃至３のいずれか１項に記載の発明の目的に加え、次の点を目的とする。すなわち、請求項４記載の発明は、交換作業を容易にすることができるようにした遊技機を提供しようとするものである。
【課題を解決するための手段】
【０００８】
（請求項１）  請求項１記載の発明は、次の点を特徴とする。すなわち、正面側に開口する正面開口部(27)を有する筐体(1)と、周囲に図柄(19)を配置した回転リール(3)を有するリールユニット(10)と、前記回転リール(3)の図柄(19)の変動表示及び停止表示を制御するための主制御装置(90)と、前記筐体(1)の正面開口部(27)を開閉自在に塞ぐ扉(2)とを備えた遊技機(S)において、前記扉(2)は、前記筐体(1)の正面開口部(27)の上部である開口上部(25)を開閉自在に塞ぐ上扉(21)と、前記筐体(1)の正面開口部(27)の下部である開口下部(26)を開閉自在に塞ぐ下扉(22)とを備え、前記上扉(21)は、前記筐体(1)の開口上部(25)の上部を開閉自在に塞ぐサブ上扉(23)と、前記筐体(1)の開口上部(25)の下部を開閉自在に塞ぐ本体上扉(24)とを備え、前記サブ上扉(23)は、遊技に応じた演出の出力が可能な演出装置(88)を備え、前記遊技機(S)は、少なくとも前記リールユニット(10)及び前記主制御装置(90)を骨組み状の構造からなる支持体(6)に搭載した交換ユニット(40)を備え、前記本体上扉(24)は、前記交換ユニット(40)の前記支持体(6)に開閉可能に軸支され、前記交換ユニット(40)は、少なくとも前記本体上扉(24)を備えて一体化した状態で、前記筐体(1)に着脱自在に形成したことを特徴とする。
【０００９】
また、ここで、「回転リール(3)」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置等によって遊技者に向かって表示するものも含まれる。
また、ここで、「遊技機(S)」には、スロットマシンだけではなく、回転リールを使用するが、遊技媒体として、球状のパチンコ球を使用する、いわゆるパロットも含む。
（作用）  本発明は、上扉(21)を、サブ上扉(23)と本体上扉(24)との２分割に形成している。このため、演出装置(88)を有するサブ上扉(23)を、本体上扉(24)とは別個独立に管理することができる。すなわち、サブ上扉(23)だけを本体上扉(24)とは別個に取り外したり、或いは、いわゆる新台入れ替えの際、サブ上扉(23)だけを取り換えないようにすることもできる。これにより、演出装置(88)の寿命に合わせて、演出装置(88)を有するサブ上扉(23)だけの取り付け、取り外しが可能となって、サブ上扉(23)を、本体上扉(24)から別個独立に管理することができ、製造コストの削減化を図ることができる。
【００１０】
なお、ここで、サブ上扉(23)は、支持体(6)又は筐体(1)のどちらに固定しても良いものである。そして、サブ上扉(23)を筐体(1)に固定して、サブ上扉(23)を交換ユニット(40)に含ませないようにすると、サブ上扉(23)を支持体(6)に固定するような場合と比較して、交換ユニット(40)及び本体上扉(24)が一体となった交換する部品（具体的には、扉一体型交換ユニット(41)）の総重量を小さなものにすることができる。これにより、交換ユニット(40)及び本体上扉(24)が一体となった交換する部品（扉一体型交換ユニット(41)）の総重量を軽減することができる。これにより、新台入れ替えの際の交換作業を容易なものにすることができる。
【００１１】
（請求項２）  請求項２記載の発明は、上記した請求項１記載の発明の特徴点に加え、次の点を特徴とする。すなわち、前記本体上扉(24)を前記支持体(6)に回転可能に軸支する本体上扉軸支手段(100)と、前記本体上扉軸支手段(100)の同一軸上に位置するとともに前記サブ上扉(23)を前記筐体(1)に回転可能に軸支するサブ上扉軸支手段(110)と、前記サブ上扉(23)及び前記本体上扉(24)を固定して両者を一体化する上扉一体化手段(120)とを備えたことを特徴とする。
（作用）  本発明は、本体上扉軸支手段(100)は、本体上扉(24)を支持体(6)に軸支し、サブ上扉軸支手段(110)は、サブ上扉(23)を筐体(1)に軸支している。このため、サブ上扉(23)は、筐体(1)に残した状態のままで、支持体(6)を筐体(1)から取り外すことができ、本体上扉(24)を、リールユニット(10)や主制御装置(90)と一緒に取り外して、交換することができる。これにより、いわゆる新台入れ替えにおいても、演出装置(88)を有するサブ上扉(23)を筐体(1)に据え置くことができ、高精度の電子部品である演出装置(88)の遊技機(S)からの取り外しや、工場までの移動等の工程における衝撃を回避することができる。したがって、演出装置(88)の不具合の発生や、寿命短縮化の原因の一部を除去することができて、演出装置の不具合の削減化、長寿命化が可能となって、製造コストを削減することができる。
【００１２】
そして、本体上扉軸支手段(100)とサブ上扉軸支手段(110)とは、本体上扉(24)及びサブ上扉(23)を同一軸上で軸支している。そして、上扉一体化手段(120)が、サブ上扉(23)を本体上扉(24)に固定する。これにより、サブ上扉(23)及び本体上扉(24)の両者を、一体の扉(2)として、同一軸上で回転させることができ、一体の扉(2)として開閉動作を行うことができる。
（請求項３）  請求項３記載の発明は、上記した請求項１記載の発明の特徴点に加え、次の点を特徴とする。すなわち、前記本体上扉(24)を前記支持体(6)に回転可能に軸支する本体上扉軸支手段(100)と、前記本体上扉軸支手段(100)と同一軸上に位置するとともに前記サブ上扉(23)を前記支持体(6)に回転可能に軸支するサブ上扉交換軸支手段(130)と、前記サブ上扉(23)及び前記本体上扉(24)を固定して両者を一体化する上扉一体化手段(120)とを備えたことを特徴とする。
【００１３】
（作用）  本発明は、演出装置(88)を有するサブ上扉(23)を別個独立に管理することができる上に、更に、演出装置(88)の交換が必要な場合には、演出装置(88)を有するサブ上扉(23)も、本体上扉(24)と一緒に支持体(6)に軸支した状態で、他の部品であるリールユニット(10)や主制御装置(90)と一体となって同時に交換することができる。
そして、本体上扉軸支手段(100)とサブ上扉交換軸支手段(130)とは、本体上扉(24)及びサブ上扉(23)を同一軸上で軸支している。そして、上扉一体化手段(120)が、サブ上扉(23)を本体上扉(24)に固定する。これにより、サブ上扉(23)及び本体上扉(24)の両者を、一体の扉(2)として、同一軸上で回転させることができ、一体の扉(2)として開閉動作を行うことができる。
【００１４】
（請求項４）  請求項４記載の発明は、上記した請求項１から３までのいずれか１項に記載の発明の特徴点に加え、次の点を特徴とする。すなわち、前記交換ユニット(40)又は前記本体上扉(24)は、演出用に使用される演出用制御装置(91)と、前記演出用制御装置(91)にて生成される制御命令の情報を出力する第１接続手段(150)とを備え、前記サブ上扉(23)は、前記第１接続手段(150)と接続することによって前記制御命令の情報を入力して前記演出装置(88)へ伝達する第２接続手段(140)を備え、前記第１接続手段(150)及び前記第２接続手段(140)は、前記本体上扉(24)により前記開口上部(25)の下部を閉じた後、前記サブ上扉(23)が前記開口上部(25)の上部を閉じるに伴って互いに接続可能となるような対向位置に配設されていることを特徴とする。
【００１５】
なお、ここで、第１接続手段(150)及び第２接続手段(140)は、通常のピンと、当該ピンが嵌め込まれるピン孔とから形成されて、互いに直接、接触することにより、電気信号を伝達可能とするものを含む。更に、この第１接続手段(150)及び第２接続手段(140)は、互いに直接、接触しないが、赤外線通信等の光通信手段により、情報を伝達するようなものも含むものである。例えば、第１接続手段(150)に、光信号を出力する光発振器を設け、第２接続手段(140)に、第１接続手段(150)の光発振器から出力された光信号を受光する受光素子を有するようなものを含む。
（作用）  本発明は、サブ上扉(23)により開口上部(25)の上部を閉じると、第２接続手段(140)及び第１接続手段の両者が接続状態となる。
【００１６】
一方、サブ上扉(23)を開けると、第２接続手段(140)及び第１接続手段(150)の接続状態を解除することができる。
このように、第２接続手段(140)と、第１接続手段(150)との接続作業や、接続解除作業を、交換作業者が、行わなくても、サブ上扉(23)の開閉だけで、行うことができる。したがって、かかるコネクターの接続作業を省略することができて、交換作業を容易なものにすることができる。
【発明の効果】
【００１７】
本発明は、以上のように構成されているので、以下に記載されるような効果を奏する。
（請求項１）  請求項１記載の発明によれば、次のような効果を奏する。すなわち、請求項１記載の発明によれば、交換ユニットの総重量の軽減化、演出装置を組み込んだサブ上扉を、本体上扉から別個独立に管理することができて、製造コストの削減化を図ることができるようにした遊技機を提供することができる。
（請求項２）  請求項２記載の発明によれば、上記した請求項１記載の発明の効果に加え、次のような効果を奏する。すなわち、請求項２記載の発明によれば、いわゆる新台入れ替えにおいても、演出装置を有するサブ上扉を筐体に据え置くことができ、演出装置の不具合の削減化、長寿命化を図ることができるようにした遊技機を提供することができる。
【００１８】
（請求項３）  請求項３記載の発明によれば、上記した請求項１記載の発明の効果に加え、次のような効果を奏する。すなわち、請求項３記載の発明によれば、演出装置を有するサブ上扉も、交換ユニットと同時に交換することができるようにした遊技機を提供することができる。
（請求項４）  請求項４記載の発明によれば、上記した請求項１乃至３のいずれか１項に記載の発明の効果に加え、次のような効果を奏する。すなわち、請求項４記載の発明によれば、交換作業を容易にすることができるようにした遊技機を提供することができる。
【発明を実施するための最良の形態】
【００１９】
（図面の説明）  図１乃至図６は、本発明の実施の形態を示すものである。図１はサブ上扉及び本体上扉を筐体に取り付けた状態の外観斜視図、図２は上扉一体化手段の縦断面図、図３は遊技機の外観正面図、図４は上扉、下扉、交換ユニット及び筐体を分離した状態の外観斜視図、図５は上扉、下扉及び筐体を分離した状態の外観斜視図、図６は本体上扉軸支手段の分解斜視図をそれぞれ示すものである。
（遊技機S）  本実施の形態に係る遊技機Sは、具体的には、スロットマシンであって、大きく分けて、正面側に開口する正面開口部27を有する筐体1と、この筐体1内部に着脱自在に固定するとともに、筐体1から分離して交換可能な扉一体型交換ユニット41とを備えている。そして、遊技機Sの正面側には、筐体1の正面開口部27を開閉可能に塞ぐための扉2が形成されている。そして、筐体1の正面開口部27は、筐体1の上部であって、中板7より上部に開口する開口上部25と、筐体1の下部であって、中板7より下部に開口する開口下部26とを備えている。そして、前記扉2は、筐体1の開口上部25を開閉可能に塞ぐための上扉21と、筐体1の開口下部26を開閉可能に塞ぐための下扉22とを備えている。
【００２０】
また、遊技機Sは、遊技機S内部の部品装置を制御するための制御装置73を備えている。この制御装置73は、交換ユニット40の支持体6に固定された主制御装置90と、本体上扉24の内部に収納された演出用制御装置91とを備えている。
前記上扉21は、筐体1の開口上部25の上部を開閉自在に塞ぐサブ上扉23と、筐体1の開口上部25の下部を開閉自在に塞ぐ本体上扉24とを備えている。
前記扉一体型交換ユニット41は、リールユニット10、主制御装置90及び本体上扉24を、直方体の骨組み状の構造体である支持体6に固定し、それらを一体として、筐体1から分離して交換可能なものである。
【００２１】
前記扉一体型交換ユニット41は、筐体1の正面開口部27の開口上部25の下部を開閉自在に塞ぐ本体上扉24と、枠状の支持体6にリールユニット10及び主制御装置90を固定した交換ユニット40とを備えている。このリールユニット10は、複数の図柄19が表示された回転リール3及びこの回転リール3を回転表示させるためのステッピングモーターからなる駆動手段を有するものである。そして、交換ユニット40の手前側には、上扉21の本体上扉24が開閉自在に取り付けられてある。そして、この交換ユニット40及び本体上扉24により、両者が一体となった扉一体型交換ユニット41を形成している。前記交換ユニット40は、中板7上面に固定するとともに本体上扉24と一緒に筐体1から分離して交換可能なものである。すなわち、遊技ホールにおける通常のいわゆる新台入れ替えの際には、交換ユニット40及び本体上扉24が一体となった扉一体型交換ユニット41毎に入れ替えることができるものである。もちろん、新台入れ替えの際、本体上扉24は、取り換えずに、そのまま再度使用して、交換ユニット40だけを交換することもできる。
【００２２】
なお、ここで、本明細書中の「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２３】
（筐体1）  前記筐体1は、全体形状が略箱状であって、底面に配置した底板75と、この底板75の左右端縁から上方に向かって設けられた左右の側板76と、この側板76の上端間に渡した天板77と、左右の側板76の後側の端面間に渡して、裏側を塞ぐ奥板78とからなる正面側に開口するものである。すなわち、底板75と、その左右の側板76と、天板77とにより、四角枠状の四角枠部材を形成し、この四角枠部材の正面側に正面開口部27が開口し、四角枠部材の奥側を奥板78が塞いでいるものである。そして、この筐体1の高さ方向略中央部には、二つの側板76の間に水平方向に中板7が渡してある。そして、この中板7は、交換ユニット40を筐体1の奥側内部に案内するためのガイドを中板7上面の左右に形成している。そして、底板75には、各部品に電気を供給するための電源装置8と、投入された遊技媒体を貯留するとともに払い出し皿12に遊技媒体を払い出し可能なホッパーユニットとも呼ばれる払い出し装置5とが固定されている。
【００２４】
ここで、電源装置8は、開口下部26の底板75の上面に取り付けられており、遊技店側が種々の設定を行うためのスイッチ等の設定操作部を有している。
前記電源装置8及び払い出し装置5は、交換ユニット40の交換に際し、必ずしも交換する必要のないものであり、交換時には設置されたままにしておけるようになっているものである。
また、左側の側板76の下部には、前記下扉22を係合させ、回転自在に支持するための下扉用被係合部51が、上下方向に間隔をおいて二つ設けられている。
また、左側の側板76の上部には、サブ上扉23を係合させ、回転自在に支持するためのサブ上扉用被係合部59が、上下方向に間隔をおいて二つ設けられている。
【００２５】
（扉一体型交換ユニット41）  前記扉一体型交換ユニット41は、本体上扉24及び交換ユニット40からなるものである。この扉一体型交換ユニット41は、交換ユニット40の支持体6の上扉用被係合部53に、本体上扉24の正面から向かって左裏面側の上扉用係合部52を回転自在に係合させている。この上扉用被係合部53及び上扉用係合部52により本体上扉軸支手段100を形成している。この本体上扉軸支手段100は、本体上扉24を支持体6に回転可能に軸支するものである。そして、扉一体型交換ユニット41は、交換ユニット40の支持体6の扉用係止片69に、本体上扉24の正面から向かって右側裏面のロック可動片31を係止させている。これにより、本体上扉24を交換ユニット40の支持体6の前面側に固定しているものである。
【００２６】
前記扉一体型交換ユニット41は、本体上扉24及び交換ユニット40を有して、遊技ホールにおける、いわゆる新台入れ替えの際、遊技内容を変更するために筐体1に対して交換可能に形成されているものである。そして、交換ユニット40及び本体上扉24は、両者が一体となった状態で、筐体1から取り外し、また、取り付けることができるように形成されている。なお、交換ユニット40の支持体6から本体上扉24を取り外せば、いわゆる新台入れ替えの際、本体上扉24はそのまま交換せずに、交換ユニット40だけを交換することができる。このように、交換ユニット40だけの取り付けや、取り外しも可能となるように形成されている。
（交換ユニット40）  前記交換ユニット40は、四角枠状の支持体6に、リールユニット10と、当該遊技機Sの各部品を制御するための制御装置73のうちの主制御装置90とを固定しているものである。前記交換ユニット40は、筐体1に着脱自在に取り付けられているものである。
【００２７】
前記リールユニット10は、支持体6に固定されているものである。このリールユニット10は、複数の図柄19が表示された回転リール3及びこの回転リール3を回転表示させるための駆動手段（図示せず）を有する。
ここで、回転リール3は、周囲に複数の図柄を表示した３個の回転リール3からなるものである。そして、駆動手段は、特に図示しないが、それぞれの回転リール3を回転させるためのステッピングモーターを有している。そして、回転リール3の回転等を制御するための主制御装置90が透明樹脂からなる四角箱状の基板ケースの内部に収納されているものである。
【００２８】
前記支持体6の正面左側の開口縁には、本体上扉24を回転自在に係合するための上扉用被係合部53が、上下方向に間隔をおいて二つ設けられている。この上扉用被係合部53は、具体的には、図６に示すように、支持体6の正面左側の開口縁から前面側に向かって突出する半円板状の軸支持板162と、この軸支持板162の上面から上方に向かって突出する円柱棒状の円柱軸部161とを備えている。本体上扉24の上扉用係合部52は、かかる円柱棒状の円柱軸部161に上方から回転自在に被さる円筒状のものを有しているものである。そして、円柱軸部161に円筒状の上扉用係合部52を被せた後、円柱軸部161のねじ孔163に、上方から抜け止めねじ164をねじ込ませている。これにより、円柱軸部161から上扉用係合部52が外れることを防止している。なお、図６は、本体上扉軸支手段100を示しているものであるが、サブ上扉軸支手段110のサブ上扉用被係合部59も、同様に、円柱軸部161及び軸支持板162を有するものであり、また、下扉軸支手段115の下扉用被係合部51も、同様に、円柱軸部161及び軸支持板162を有するものである。また、サブ上扉軸支手段110及び下扉軸支手段115においても、図６に示す抜け止めねじ164と同一のものを、円柱軸部161の上方からねじ込み可能に形成されている。
【００２９】
更に、支持体6の正面右側の縦方向の開口縁には、本体上扉24を閉めた際、本体上扉24のロック可動片31をロックするための扉用係止片69が、上下方向に間隔をおいて二つ設けられている。このように、支持体6の左側の上扉用被係合部53と、上扉21の上扉用係合部52とにより、上扉21が支持体6に回転可能に軸支され、支持体6の扉用係止片69と、本体上扉24のロック可動片31とにより、両者を一体のものに固定することができる。
前記交換ユニット40の支持体6の前面側の縦枠の左右には、後方に向かって鉤状に延びるクリップ用係止片56が形成されている。このクリップ用係止片56は、筐体1の左右の側板76の内面側に固定されているキャッチクリップ57により、交換ユニット40を筐体1に固定することができるものである。このキャッチクリップ57及びクリップ用係止片56により、交換ユニット40を筐体1に固定するための固定装置55を形成しているものである。
【００３０】
（上扉21）  前記上扉21は、筐体1の正面開口部27の中板7より上部の開口上部25を開閉自在に塞ぐものである。この上扉21は、筐体1の開口上部25の上部を開閉自在に塞ぐサブ上扉23と、筐体1の開口上部25の下部を開閉自在に塞ぐ本体上扉24とを備えている。
（サブ上扉23）  前記サブ上扉23は、筐体1の左側にサブ上扉軸支手段110により回転可能に軸支されて、筐体1の開口上部25の上部を開閉自在に塞ぐものである。このサブ上扉23の正面から向かって左側の裏面には、筐体1のサブ上扉用被係合部59に係合可能なサブ上扉用係合部58が、上下方向に間隔をおいて二つ形成されている。このサブ上扉用係合部58は、図６に示す上扉用係合部52と同様に、円筒状のものである。このサブ上扉23は、液晶画面に画像を表示可能な演出装置88を備えている。そして、このサブ上扉23の裏面側には、サブ上扉23内の演出装置88等との間で電気信号を伝達可能な第２接続手段140を備えている。
【００３１】
また、このサブ上扉23の下面の左右には、図２に示すように、本体上扉24の上面から上方に向かって突出移動する移動片121が挿入可能な移動片上部収納孔125が形成されている。
（本体上扉24）  前記本体上扉24は、交換ユニット40の支持体6の上扉用被係合部53により回転可能に軸支されて、筐体1の開口上部25の下部を開閉自在に塞ぐものである。この本体上扉24の正面から向かって左側の裏面には、支持体6の上扉用被係合部53に係合可能な上扉用係合部52が、上下方向に間隔をおいて二つ形成されている。この上扉用係合部52は、図６に示す上扉用係合部52と同様に、円筒状のものである。これにより、交換ユニット40の左端に本体上扉24を回転自在に係合させることができて、開閉自在とするものである。
【００３２】
そして、本体上扉24は、樹脂板からなる表示窓28が形成されている。遊技者は、回転リール3の図柄19を、表示窓28の略中央に設けた図柄表示窓29を介して、正面側から見ることができるように形成されている。そして、本体上扉24の左右には、サブ上扉23の周囲の表示装置86と合わせて、全体としてアーチ状のランプとなる表示装置86が設けられている。
そして、本体上扉24の正面から向かって右側の裏面には、扉ロック機構が設けられている。この扉ロック機構は、本体上扉24の背面側から奥側に向かって突出する２本のロック可動片31を備えているものである。このロック可動片31は、交換ユニット40の支持体6の前面側の右側の縦枠に上下方向に２カ所設けた扉用係止片69に係合することができるものである。
【００３３】
そして、本体上扉24の内部には、演出用の画像データ等を記憶するとともに、主に、演出用の演出装置88を制御するための演出用制御装置91を備えている。そして、この演出用制御装置91の前面側には、サブ上扉23の裏面側の第２接続手段140と係合可能な第１接続手段150が形成されている。この演出用制御装置91は、上下方向にスライド可能に形成されてあり、通常は、図１に示すように上方に引き出して使用するものであって、その状態でサブ上扉23を閉じることにより第２接続手段140と接続されるように形成されている。そして、交換作業の際には、第１接続手段150から第２接続手段140を取り外して、演出用制御装置91を下方に押し込むことにより、図５に示すように、本体上扉24の内部に収納可能に形成されている。これにより、演出用制御装置91を本体上扉24の内部に収納した状態で、扉一体型交換ユニット41の移動等を行うことができて、演出用制御装置91が破損することを回避することができるものである。なお、本体上扉24の上面には、内部に収納した演出用制御装置91を上方に向かって突出可能な表裏に貫通するスライド孔92が形成されている。
【００３４】
なお、本実施の形態では、演出用制御装置91を、本体上扉24に形成しているが、この演出用制御装置91は、交換ユニット40に形成しても良いものである。例えば、交換ユニット40の支持体6の前面側の上側の横枠に、演出用制御装置91を固定しても良いものである。そして、この交換ユニット40に固定した演出用制御装置91の前面側に、サブ上扉23を閉じると第２接続手段140と接続可能な第１接続手段150を形成しても良いものである。
そして、本体上扉24の上部には、本体上扉24及びサブ上扉23を固定するための上扉一体化手段120が形成されている。
（上扉一体化手段120）  前記上扉一体化手段120は、サブ上扉23及び本体上扉24を固定して、サブ上扉23及び本体上扉24を一体化しているものである。すなわち、この上扉一体化手段120は、サブ上扉23及び本体上扉24を一体として開閉可能にするために、サブ上扉23を本体上扉24に固定するためのものである。
【００３５】
前記上扉一体化手段120は、本体上扉24の上面に開口する移動片下部収納孔126と、この移動片下部収納孔126の内部に収納可能であって、上下方向に移動可能な移動片121と、サブ上扉23の下面に開口する孔状のものであって、前記移動片121が上方に向かって突出した際、移動片121の上部が差し込まれる移動片上部収納孔125と、移動片121を上方に向かって突出させるためのばね124とを備えている。
前記移動片121は、移動片121の上面であって、手前方向に向かって下り傾斜の傾斜面122と、移動片121の背面側から後方向に向かって突出して、指で持つことが可能な把持片123と、移動片121が所定位置から上方への移動を制限するために手前側に向かって突出する突出部127とを備えている。
【００３６】
前記移動片下部収納孔126は、移動片121の把持片123が、突出するために本体上扉24の背面側に向かって開口する把持片開口部129が形成されている。そして、移動片下部収納孔126の前面側には、移動片下部収納孔126の内部に向かって突出して、移動片121の突出部127を係止可能な突出係止片128が形成されている。
前記ばね124は、移動片121の下面と、移動片下部収納孔126の底面との間に配置されて、移動片121の上方に向かって押し上げる方向に付勢力が発生している。
移動片121は、突出部127及び突出係止片128が係止することにより、図１及び図２に示すように、傾斜面122だけが移動片下部収納孔126の上部から上方に向かって突出した状態で維持される。そして、図１に示すような状態から、サブ上扉23を閉じると、サブ上扉23の下面により、傾斜面122が下方に向かって押し込まれて、移動片121が下方に移動し、移動片下部収納孔126の内部に入り込む。そして、サブ上扉23が完全に閉じた状態になると、サブ上扉23の下面の移動片上部収納孔125の内部に、移動片121の上部が入り込んで、移動片121が上方に移動し、図２に示すような状態となる。その状態で、サブ上扉23を開こうとしても、移動片121の背面側と、移動片上部収納孔125の内面とが当選して、サブ上扉23を開くことはできない。これにより、サブ上扉23及び本体上扉24が一体化されたロック状態となる。そして、サブ上扉23を開く場合には、下扉22を開けて、本体上扉24の下方から手を差し込んで把持片123を下方へ引っ張ることにより、移動片121を下方に押し下げて、移動片121の上部を、サブ上扉23の移動片上部収納孔125から引き抜く。これにより、サブ上扉23の移動片上部収納孔125の内面と、移動片121とが当接せずに、サブ上扉23を開放することができるものである。
【００３７】
なお、本体上扉24の背面には、手を差し込むスペースを形成しているものであるが、把持片123の先端から、本体上扉24の下部にまで下方に向かって延びる延設片を設けて、手を差し込まずに把持片123を押し下げることができるように形成しても良い。
（第２接続手段140及び第１接続手段150）  前記第２接続手段140は、第１接続手段150と接続することによって演出用制御装置91の制御命令の情報を入力して演出装置88へ伝達するためのものである。そして、前記第２接続手段140は、サブ上扉23の背面側に位置して、サブ上扉23内の部品との間で電気信号を伝達可能な端子を有するコネクターである。
そして、第１接続手段150は、演出用制御装置91にて生成される制御命令の情報を出力するためのものである。すなわち、第１接続手段150は、扉一体型交換ユニット41に設けられた演出用制御装置91との間で電気信号を伝達可能な端子を有するコネクターであって、扉一体型交換ユニット41に形成されている。具体的には、第１接続手段150は、本体上扉24の演出用制御装置91の前面側に位置して、演出用制御装置91との間で電気信号を伝達可能な端子を有するコネクターである。すなわち、第１接続手段150は、演出用制御装置91を上方に引き出した状態において、本体上扉24の前面側に位置し、第２接続手段140と整合するような位置に配置されている。そして、本体上扉24を開口上部25の下部を閉じた状態にした後、サブ上扉23により開口上部25の上部を閉じた場合、第２接続手段140及び第１接続手段150は、それらの端子同士が接続して、電気的に接続するような対向位置に形成されている。したがって、本体上扉24を閉じた後、サブ上扉23を閉じるだけで、サブ上扉23の結線が終了するように形成されているものである。
【００３８】
なお、ここで、第１接続手段150及び第２接続手段140は、通常のピンと、当該ピンが嵌め込まれるピン孔とから形成されて、互いに直接、接触することにより、電気信号を伝達可能とするものである。しかし、この第１接続手段150及び第２接続手段140は、互いに直接、接触しないが、赤外線通信等の光通信手段により、情報を伝達するようなものであっても良い。例えば、第１接続手段150に、前面側に向かって光信号を出力する光発振器を設け、第２接続手段140に、第１接続手段150の光発振器から出力された光信号を受光する受光素子を背面側に向かうような互いに対向するような位置に配設しているようなものである。更に、両者の対向位置は、必ずしも正面側から見て前後方向に一致するようなものに限らない。本体上扉24を閉じた後、サブ上扉23を閉じた状態で、第１接続手段150及び第２接続手段140が、光発振器と受光素子とが、情報の伝達が可能となるように互いに向き合うような対向位置となれば良いものである。
【００３９】
（下扉22）  前記下扉22は、筐体1の開口下部26を開閉自在に塞ぐための、上扉21よりも幅厚の扉であり、筐体1の側板76に回転自在かつロック可能に形成されているものである。
前記下扉22の正面側の上部及び上面は、遊技機Sを作動させるための操作部18となっており、下扉22の上面は、閉扉時においては、上扉21よりも前側に突出するようになっている。すなわち、この下扉22は、上扉21の下部の前側を、前側から覆うような状態で、ロックされ、下扉22の上部は、上扉21の下部よりも、手前側に配置するように形成されている。したがって、本体上扉24を閉じた状態で、下扉22を閉じた場合、下扉22を開けることなく、本体上扉24を開くことはできないように形成されている。このため、本体上扉24を開放する際には、必ず、下扉22の開放が条件となるものである。これにより、主制御装置90や、回転リール3等の開口上部25に配置されている部品が、ゴト行為により、操作されるのを抑えることができるものである。
【００４０】
また、下扉22の正面側の下部には払い出された遊技媒体を溜めておくための凹状の払い出し皿12が形成されており、この払い出し皿12の上部には、払い出し皿12へ遊技媒体を払い出すための払い出し口74が形成され、下扉22の正面側の略中央部には、遊技内容その他の案内表示をするための前パネル85が嵌め込まれている。
前記操作部18としては、下扉22の上面右端には媒体投入口71と、上面左側に設けられたベットスイッチ17と、正面側にはレバー式のスタートスイッチ15と、ボタン式のストップスイッチ16と、鍵穴87とが設けられている。なお、ベットスイッチ17とは、遊技媒体である貯留メダルをメダル投入に代えるためのものであり、スタートスイッチ15及びストップスイッチ16は、回転リール3の回転を開始及び停止させるためのものである。そして、鍵穴87は、下扉22を解錠するためのものであり、この穴に所定の鍵を差し込んで回すと、下扉22の扉ロック機構のロックが解除されるものである。
【００４１】
更に、下扉22の裏面側には、前記媒体投入口71から投入された遊技媒体を誘導しながら遊技媒体の正偽を判断するための媒体セレクター4が設けられている。
また、下扉22の左側の裏面には、筐体1の下扉用被係合部51と係合可能な下扉用係合部50が上下方向に間隔をおいて二つ設けられている。この下扉用係合部50及び下扉用被係合部51により、下扉22を筐体1に回転可能に軸支可能な下扉軸支手段115が形成されている。そして、下扉22の右側の裏面には、筐体1の下扉22用の扉用係止片69にロック可能なアンカー状の下扉22用のロック可動片31を有する扉ロック機構が設けられている。前記鍵穴87により、下扉22を開いた後、上扉21の下端から延びるレバーを操作することにより、上扉21の扉ロック機構であるロック可動片31を可動させて、上扉21用の扉用係止片69から外し、上扉21を開けることができるように形成されている。
【００４２】
（作用）  本実施の形態では、上扉21を、サブ上扉23と本体上扉24との２分割に形成している。このため、演出装置88を有するサブ上扉23を、本体上扉24とは別個独立に管理することができる。すなわち、サブ上扉23だけを本体上扉24とは別個に取り外したり、或いは、いわゆる新台入れ替えの際、サブ上扉23だけを取り換えないようにすることができる。これにより、演出装置88の寿命に合わせて、演出装置88を有するサブ上扉23だけの取り付け、取り外しが可能となって、サブ上扉23を、本体上扉24から別個独立に管理することができ、製造コストの削減化を図ることができる。
また、扉一体型交換ユニット41としては、リールユニット10、主制御装置90及び本体上扉24を支持体6に固定し、サブ上扉23を交換するユニットに含ませていない。このため、サブ上扉23を交換するユニットに含ませるような場合と比較して、扉一体型交換ユニット41の総重量を小さなものにすることができる。これにより、扉一体型交換ユニット41の総重量を軽減することができる。これにより、新台入れ替えの際の交換作業を容易なものにすることができる。
【００４３】
本体上扉軸支手段100は、本体上扉24を支持体6に軸支し、サブ上扉軸支手段110は、サブ上扉23を筐体1に軸支している。このため、サブ上扉23は、筐体1に残した状態のままで、支持体6を筐体1から取り外すことができ、本体上扉24を、リールユニット10や主制御装置90を一体とした扉一体型交換ユニット41として一緒に取り外して、交換することができる。これにより、いわゆる新台入れ替えにおいても、演出装置88を有するサブ上扉23を筐体1に据え置くことができ、高精度の電子部品である演出装置88の遊技機Sからの取り外しや、工場までの移動等の工程における衝撃を回避することができる。したがって、演出装置88の不具合の発生や、寿命短縮化の原因の一部を除去することができて、演出装置の不具合の削減化、長寿命化が可能となって、製造コストを削減することができる。
【００４４】
そして、本体上扉軸支手段100とサブ上扉軸支手段110とは、本体上扉24及びサブ上扉23を同一軸上で軸支している。そして、上扉一体化手段120が、サブ上扉23を本体上扉24に固定する。これにより、サブ上扉23及び本体上扉24の両者を、一体の扉2として、同一軸上で回転させることができる。
本体上扉24により開口上部25の下部を閉じて、演出用制御装置91を本体上扉24内部から本体上扉24の上部へスライドさせた後、サブ上扉23により開口上部25の上部を閉じると、第２接続手段140が第１接続手段へ接続し、同時に、両者の端子も接続して、電気的な接続状態となる。これにより、サブ上扉23の演出装置88等からの部品と、演出用制御装置91との間における配線を終了させることができる。一方、本体上扉24及びサブ上扉23が閉状態の際、サブ上扉23を開けると、第２接続手段140及び第１接続手段150の接続状態を解除することができる。このように、第２接続手段140と、第１接続手段150との接続作業や、接続解除作業を、交換作業者が、行わなくても、サブ上扉23の開閉と同時に行うことができる。したがって、かかるコネクターの接続作業を省略することができて、交換作業を容易なものにすることができる。
【００４５】
また、上述した実施の形態では、遊技媒体として円板状の遊技メダルを使用しているスロットマシンであるが、遊技媒体として、球状の遊技球を使用する、いわゆるパロットに適用することもできる。
（他のバリエーション）
図７は、他のバリエーションの上扉、下扉、交換ユニット40及び筐体を分離した状態の外観斜視図である。
上述した実施の形態では、サブ上扉軸支手段110のサブ上扉用被係合部59は、筐体1に固定していた。しかし、図７に示すように、サブ上扉用被係合部59を支持体6に形成しても良いものである。そして、支持体6に固定したサブ上扉用被係合部59と、上扉21の裏面に位置して、前記サブ上扉用被係合部59に回転可能に軸支されるサブ上扉用係合部58とにより、サブ上扉交換軸支手段130を形成しているものである。そして、扉一体型交換ユニット41は、リールユニット10、主制御装置90、演出用制御装置91、本体上扉24及びサブ上扉23を支持体6に固定し、それらを一体として、筐体1から分離して交換可能にしているものである。これにより、演出装置88を有するサブ上扉23を、本体上扉24と分離して別個独立に管理することができる上に、更に、本体上扉24の交換に加えて、演出装置88の交換が必要な場合には、演出装置88を有するサブ上扉23も、本体上扉24と一緒に支持体6に軸支した状態で、他の部品であるリールユニット10や主制御装置90や演出用制御装置91と一体となって同時に交換することができる。
【００４６】
また、本体上扉軸支手段100とサブ上扉交換軸支手段130とは、本体上扉24及びサブ上扉23を同一軸上で軸支している。そして、上扉一体化手段120が、サブ上扉23を本体上扉24に固定する。これにより、サブ上扉23及び本体上扉24の両者を、一体の扉2として、同一軸上で回転させることができる。
【図面の簡単な説明】
【００４７】
【図１】本発明の実施の形態であって、サブ上扉及び本体上扉を筐体に取り付けた状態を示す外観斜視図である。
【図２】本発明の実施の形態であって、上扉一体化手段を示す縦断面図である。
【図３】本発明の実施の形態であって、遊技機を示す外観正面図である。
【図４】本発明の実施の形態であって、上扉、下扉、交換ユニット及び筐体を分離した状態を示す外観斜視図である。
【図５】本発明の実施の形態であって、上扉、下扉及び筐体を分離した状態を示す外観斜視図である。
【図６】本発明の実施の形態であって、本体上扉軸支手段を示す分解斜視図である。
【図７】本発明の他の実施の形態であって、上扉、下扉、交換ユニット及び筐体を分離した状態を示す外観斜視図である。
【符号の説明】
【００４８】
S  遊技機                              1  筐体
2  扉                                  3  回転リール
4  媒体セレクター                      5  払い出し装置
6  支持体                              7  中板
8  電源装置                            10  リールユニット
12  払い出し皿                          15  スタートスイッチ
16  ストップスイッチ                    17  ベットスイッチ
18  操作部                              19  図柄
21  上扉                                22  下扉
23  サブ上扉                            24  本体上扉
25  開口上部                            26  開口下部
27  正面開口部                          28  表示窓
29  図柄表示窓                          31  ロック可動片
40  交換ユニット                        41  扉一体型交換ユニット
50  下扉用係合部                        51  下扉用被係合部
52  上扉用係合部                        53  上扉用被係合部
55  固定装置                            56  クリップ用係止片
57  キャッチクリップ                    58  サブ上扉用係合部
59  サブ上扉用被係合部                  69  扉用係止片
71  媒体投入口                          73  制御装置
74  払い出し口                          75  底板
76  側板                                77  天板
78  奥板                                85  前パネル
86  表示装置                            87  鍵穴
88  演出装置                            90  主制御装置
91  演出用制御装置                      92  スライド孔
100  本体上扉軸支手段                  110  サブ上扉軸支手段
115  下扉軸支手段                      120  上扉一体化手段
121  移動片                            122  傾斜面
123  把持片                            124  ばね
125  移動片上部収納孔                  126  移動片下部収納孔
127  突出部                            128  突出係止片
129  把持片開口部                      130  サブ上扉交換軸支手段
140  第２接続手段                      150  第１接続手段
161  円柱軸部                          162  軸支持板
163  ねじ孔                            164  抜け止めねじ
【図１】
2006141750.tif 000003
【図２】
2006141750.tif 000004
【図３】
2006141750.tif 000005
【図４】
2006141750.tif 000006
【図５】
2006141750.tif 000007
【図６】
2006141750.tif 000008
【図７】
2006141750.tif 000009